(57)【要約】  本発明は、携帯用アクセサリーに関し、一定形態を有して、両面に収納ホーム(112)が形成されている型本体(110)と、型本体(110)の周りに従って設置される軟質の周り部材(120)と、型本体(110)と締結紐(150)との結合が脱、装着可能な連結手段(130)が含まれている。従って、本発明は硬質の型本体に各種広告文句や掃除用ペッチなどの内容物が装着される上、型本体の周りに金型一体、或いは、別途装着可能な軟質の周り部材を設置することによって、製品装着時、製品との摩擦による騒音を最小化して、製品に傷が防止できる。また、型本体と締結紐との連結が連結手段を介してなされているので、外観が美麗で、着脱が容易となる効果を有している。【選択図】図２
2010502260.tif 000002
【特許請求の範囲】
【請求項１】
一定形態を有して、両面に収納ホームが形成される、型本体と上記型本体の周りに従って、設置される軟質の周り部材と上記型本体と締結紐との結合が脱、装着可能な連結手段を備えており、
上記連結手段は、上記型本体の上段部に切開されて、一つのセットになっているフック形状の締結突起と、上記締結突起と締結突起が内挿され固定されるように内側面にかけホームがよいされて中央に貫通具が形成されて上記締結紐が結ばれて固定される締結具により構成されることを特徴とする携帯用アクセサリー。
【請求項２】
上記型本体は、硬質の合成樹脂材で金型製作され、上記金型製作時、周り部材が一体の金型で製作されることを特徴とする請求項１に記載の携帯用アクセサリー。
【請求項３】
上記周り部材は、上記型本体と別途で製作され、上記型本体に装着可能なことを特徴とする請求項１に記載の携帯用アクセサリー。
【請求項４】
上記型本体の両面収納ホームには、シート形態、或いは、立体のどちらかの形態になっている内容物が付着されることを特徴とする請求項１に記載の携帯用アクセサリー。
【請求項５】
上記内容物は、広告文句や極細糸布になっていて携帯電話の液晶画面を清掃できるように清掃用Ｐａｄ、鏡、香りつき部材、RF チップが装着できることを特徴とする請求項４に記載の携帯用アクセサリー。
【請求項６】
上記連結手段の外側面には、ゴム材のカーバが含まれ、製品装着時、摩擦による騒音減少と傷が防止できることを特徴とする請求項１に記載の携帯用アクセサリー。
【発明の詳細な説明】
【技術分野】
【０００１】
本発明は、帯用アクセサリーに関するもので、より詳細には、携帯電話のような物品に連結して使用するか、キーホルダーとして使用される携帯用アクセサリーに関するものである。
【背景技術】
【０００２】
一般的なキーホルダーや携帯電話に装着されるアクセサリーは、図１のように硬質の合成樹脂、或いは、透明なアクリルで作ったケース(10)の内部にキャラクターとか広告文句、写真などが内蔵され、このケース(10)の上段には、鑑が形成され締結紐を連結して携帯及び携帯電話に装着して使用した。
【発明の概要】
【発明が解決しようとする課題】
【０００３】
しかし、従来のアクセサリーは、ケース(10)の全体が硬い硬質だから携帯電話などに装着時、携帯にいつもぶつけて、騒音を発生させるし、携帯に傷をつけるといった問題があった。
【０００４】
また、鑑(12)と締結紐(20)の連結は、美観が美麗でもなく、連結も難しくアクセサリーの交替時、とてもややこしい欠点があった。
【０００５】
本発明は、上記のような、欠点を解消するために案出されたもので、硬質型本体に 各種広告文句や清掃用ペッチなどの内容物が装着され、型本体に金型一体、或いは、別途装着可能な軟質の周り部材を設置することによって、製品装着時製品との摩擦による、騒音を最小にして、製品に傷が防止できる携帯用アクセサリーを提供することを目的とするものである。
【０００６】
また、本発明の他の目的では、型本体と締結紐との連結が連結手段を介して成されるので、外観が美麗で着脱が容易な携帯アクセサリーを提供することである。
【課題を解決するための手段】
【０００７】
上述した目的を達成するため、本発明は、携帯アクセサリーとして一定形態を有して両面に収納ホームが形成される型本体と、型本体の周りに従って設置される軟質の周り部材と、型本体を締結紐との結合が脱、装着が可能なように連結手段を備えており、連結手段は、型本体の上段部に切開され、一つのセットになるフック締結突起と、締結突起が内挿され、固定される内側面にかけホームが準備されて中央に貫通具があって、締結紐が結ばれて固定される締結穴で構成される携帯用アクセサリーを提供する。
【発明の効果】
【０００８】
以上から説明したように、本発明の携帯用アクセサリーは、硬質の型本体に各種広告文句や清掃用ペッチなどの内容物が装着される上、型本体の周りに金型一体、或いは、別途装着可能な軟質の周り部材を設置することによって、製品装着時製品との摩擦による騒音を最小にして、製品に対する傷を防止できる。また、型本体と締結紐との連結手段を介して成されるので、外観が美麗し、着脱が容易となる効果を有している。
【図面の簡単な説明】
【０００９】
【図１】従来のキーホルダーを示す斜視図である。
【図２】本発明の実施例に係る携帯用アクセサリーの分解斜視図である。
【図３】本発明の実施例に係る携帯用アクセサリーの断面図である。
【図４】本発明の実施例に係る携帯用アクセサリーの使用状態図である。
【発明を実施するための形態】
【００１０】
本発明の上記目的と各種長所は、この技術分野の当業者によって、添付された図面を参照して下記に記述される発明の実施例からもっと、明確になるだろう。
【００１１】
以下、添付図面を参照しながら本発明の実施例に対して、詳細に説明する。
【００１２】
図２は、本発明の実施例に係る携帯用アクセサリーの分解斜視図であり、図３は、本発明の実施例に係る携帯用アクセサリーの断面図であり、図４は、本発明の実施例に係る携帯用アクセサリーの使用状態図である。
【００１３】
図２及び図３に示されているように携帯用アクセサリー(100)は、一定形態を有する型本体(110)と、型本体(110)の周りに設置される、周り部材(120)と型本体(110)と締結紐(150)を連結する手段(130)によって構成される。
【００１４】
ここで、型本体(110)は、円形、多角形或いは、キャラクター形状などの任意の形状になるし、硬質の合成樹脂材にて金型に製作される透明体である。
【００１５】
このような型本体(110)の両面には、一定深さを有して、各々の扁平な収納ホーム(112)を形成し、さらに両面の各収納ホーム(112)は、対向され同一面積を有している。さらに収納ホーム(112)には、シート形態、或いは、立体形態のどちらか一つの形態になっている内容物(140)が付着設置される。内容物(140)は、繊細で、美麗で消費者たちが喜んで、持ちたがるもので、シート形態の場合はイメージ、写真、お守り、装飾文様、ホログラム、布、金銀鍍金、広告図案などがある。
【００１６】
立体の場合は、記念コイン、圧花みたいな自然物、彫刻物、携帯の液晶画面やキーボタンを簡単に清掃できるように特殊布である、極細糸布になっている清掃用PAD、鏡、香り付きの部材などが装着できる。
【００１７】
この時、内容物(140)の装着は、ゴム磁石、両面テープなどが使用できるし、場合に
よっては、清掃用ペッチなどが接着また、熱癒着などで行われる。
【００１８】
さらに進めると、大衆交通を利用するための交通用チップや認証を必要とする周波数(Radio Frequency)チップなどが収容される。さらにRFチップなどは、型本体(110)の金型製作時、内蔵されることも可能である。
【００１９】
一方、型本体(110)の周り部に設置される周り部材(120)は、軟質のゴム材になっており、型本体(110)の金型製作時、周り部材(120)が一体の金型に製作できる。
【００２０】
また、他の実施例として、周り部材(120)は、型本体(110)と別途で製作され型本体(110)の周りに従って装着されることも可能である。
【００２１】
また、連結手段(130)は、型本体(110)と締結紐(150)との結合が脱、装着可能なようにすることで、型本体(110)の上段部に一体にして突出形成される締結突起(131)と締結紐(150)が結ばれて固定される締結具(132)によって構成される。
【００２２】
締結突起(131)は、中央上段側が切開されて一つのセットになる、フック形状になる。
【００２３】
締結具(132)には、内側面に内挿されている締結突起(131)が固定されるようにかけホーム(133)がよいされ、締結具(132)の中央には貫通具(134)が形成されて反対側に挿入された締結紐(150)の一段を結んで、離脱を防止するようになる。
【００２４】
締結具(132)の外側面には、ゴム材のカーバ(135)が含まれて製品装着時、摩擦による騒音減少と傷が防止でき、締結紐(150)は伸縮可能な所定長さの鑑形態を有しているか、金属材の鑑形態の構造を有している。
【００２５】
以下、このように構成された携帯用アクセサリーの使用状態を説明すれば、下記の通りである。
【００２６】
型本体(110)の周り部にゴム材の周り部材(120)が金型時、一体で、或いは、別途に設置された状態から収納ホーム(112)には、内容物(140)が付着される。
【００２７】
そして、連結手段(130)の締結具(132)には、締結紐(150)を貫通具(134)に貫通させて、一段を結ぶことで、締結具(132)に締結紐(150)を固定するようになる。この時、締結具(132)と締結紐(150)は、アクセサリーとして利用するためには予め携帯に一段が装着されるようになる。
【００２８】
次に、締結具(132)を型本体(110)の締結突起(131)に内挿させてから型本体(110)を携帯可能になる。従って、携帯電話などの製品に連結手段(130)を利用して締結紐(150)がより簡単に脱、装着できる。
【００２９】
図４の実施例のように、使用者は、携帯電話(200)にアクセサリー(100)をいつも装着してから必要時点で随時で内容物(140)を確認するようになって、消費者から所有したいという所有欲を鼓吹させ、商品価値が上がり、広告をより豊に表現できるから広告主義表現欲求を満足させるから販促品としての効用性も増大される。
【００３０】
また、内容物(140)が一つ例として清掃用ペッチの場合は、携帯電話(200)の液晶画面やキーボタンなどに接触させて、拭くことから汚れた部分がきれいにとれるようになる。即ち、その極細糸布が汚染部分に接触されて拭かれてから清掃するようになる。 
ここで、携帯電話(200)の装着時、型本体(110)の周り部に設置されている周り部材(120)と連結手段(130)に設置されたカーバ(135)は、携帯電話(200)との摩擦による騒音を最小にし、傷を防止できるようになる。 
以上で説明したことは、本発明に係る携帯用アクセサリーを実施するための一つの実施例に過ぎず、本発明は上記の実施例に限らず、以下の特許請求の範囲内に記載するように本発明の要旨を逸脱することなく、本発明が属する分野で通常の知識を持っている者ならだれでも、各種変更を実施が可能な範囲まで本発明の技術精神があるだろう。 
【符号の説明】
【００３１】
100      アクセサリー
110      型本体
112      収納ホーム
120      周り部材
130      連結手段
131      締結突起
132      締結具
133      かけホーム
134      貫通具
135      カバー
140      内容物
150      締結紐
【図１】
2010502260.tif 000003
【図２】
2010502260.tif 000004
【図３】
2010502260.tif 000005
【図４】
2010502260.tif 000006
【国際調査報告】
2010502260.tif 000007
2010502260.tif 000008